(57)【特許請求の範囲】
【請求項１】
モータで駆動されることによりディスクをそのセット位置に対して出入れするディスクトレイの上方位置と下方位置とに振り分けて、上記ディスクトレイによってセット位置に搬入されたディスクを挟持するチャッキング機構の受け部材と上記ディスクトレイに載架されているディスクを持ち上げてその受け部材に押し付けるディスク押付け部材とが各別に配備され、上記ディスク押付け部材が、ディスク走査用の光ピックアップを備えて上記ディスクトレイの下方位置に配備されたドライブシャーシに取り付けられていると共に、上記ディスクトレイが、上記ディスク押付け部材の通過を許す開口の片側の偏った箇所に、上記モータによって回転駆動される歯車に噛み合ってそのディスクトレイをディスクの搬入出方向に出入れ移動させるためのラックを有し、
上記ドライブシャーシは、機枠に第１緩衝体を介して取り付けられた長手方向一端部を支点としてその反対側の自由端が上下方向に傾動自在であり、かつ、自由端が、その自由端との対向箇所で往復移動されるカム板に具備されたカム溝に案内されて上下方向に昇降動作される可動体に第２緩衝体を介して連結されているディスク装置において、
上記可動体を、上記ドライブシャーシの自由端の幅方向１箇所に突出状に取り付けられて上記カム溝に摺動自在に係合された軸体により構成して上記ドライブシャーシの左右両側に空きスペースを確保し、上記モータが、上記ディスクトレイにおける上記ラックの配備箇所に対応する上記ドライブシャーシの側方部位の上記空きスペースを活用して上記機枠に設置されており、
上記軸体が中空筒状に形成され、かつ、その軸体がドライブシャーシの自由端の幅方向１箇所に突設された突起に外嵌合されていると共に、その軸体と上記突起との間に上記突起に嵌合されて上記軸体でなる可動体で発生した衝撃を吸収して上記ドライブシャーシに伝わりにくくする筒状の防振ゴムでなる上記第２緩衝体が介在され、この第２緩衝体を介し、上記軸体が上記突起及びドライブシャーシの自由端に対し非接触状態で上記突起に保持されていることを特徴とするディスク装置。
【請求項２】
上記ドライブシャーシの長手方向一端部が、その幅方向の両端部の２箇所で上記機枠に上記第１緩衝体を介して取り付けられており、上記機枠に、上記カム板のカム溝に案内されて上下方向に昇降動作される軸体の昇降動作を補助する上下方向に延びるガイド溝が備わっている請求項１に記載したディスク装置。
【発明の詳細な説明】
【０００１】
【発明の属する技術分野】
本発明は、ディスク装置、特にディスクトレイに載架されてセット位置に搬入されたディスクが、チャッキング機構によって挟持されるようになっているディスク装置に関する。
【０００２】
【従来の技術】
図７は従来のディスク装置に用いられているドライブシャーシ３や可動体５、カム板６などを示した概略分解斜視図、図８は従来のディスク装置の要部を下側から見て説明的に示した概略平面図である。
【０００３】
図８において、１は矩形枠形に形成された機枠で、この機枠１に対してディスクトレイ２が矢印Ａで示した出入れ方向（前後方向）に移動することができるようになっている。図示していないけれども、ディスクトレイ２の上面には円板状のディスクの載置部が凹入状に形成されていて、その載置部に載置されたディスクが、ディスクトレイ２の矢印Ａ方向の移動によって機枠１の略中央部のセット位置に対して出入れされる。
【０００４】
機枠１には、前後に往復移動可能なディスク走査用の光ピックアップ４を備えるドライブシャーシ３が取り付けられている。すなわち、ドライブシャーシ３は、その長手方向一端部３１の１箇所が機枠１に取り付けられていて、その取付箇所イを支点としてその反対側の自由端３２が上下方向に傾動自在になっている。また、ドライブシャーシ３の自由端３２側には平面視略コ字状のリフトレバーでなる可動体５が配備されていて、その可動体５の左右のアーム部５１，５１に設けられている支軸部５２，５２が、ドライブシャーシ３の左右両側で機枠１に設けられている軸受部１２，１２に回動自在に支持されていると共に、この可動体５に、ドライブシャーシ３の自由端３２の幅方向両端部の２箇所が相対揺動自在に連結されている。可動体５に対するドライブシャーシ３の自由端３２の連結箇所を符号ロで示してある。
【０００５】
機枠１の前板部１３にカム板６が左右方向Ｗにスライド自在に取り付けられていて、このカム板６に具備されているカム溝６１に、可動体５の幅方向１箇所に突設された凸軸３３が摺動自在に係合されている。そして、カム板６が左右方向Ｗにスライドすると、カム溝６１に案内されて上記支軸部５２，５２を中心として昇降動作される凸軸３３と共に可動体５が支軸部５２，５２を支点として昇降し、そのような可動体５の昇降を通じて、ドライブシャーシ３の自由端３２がその長手方向一端部３１の取付箇所イを支点として上下方向に傾動される。
【０００６】
この構成のディスク装置において、ドライブシャーシ３の自由端３２が上下方向に傾動動作されるのは、ディスクトレイ２によってセット位置に搬入されたディスクを、ディスクトレイ２から持ち上げて図示していないチャッキング機構により挟持させるためであり、そのようにしてチャッキング機構に挟持されたディスクがそのチッキング機構と共に回転される。そして、回転中のディスクに対して光ピックアップ４が半径方向に移動して走査が行われる。チャッキング機構は、機枠１の上面側に回転自在に取り付けられた受け部材と、ディスクトレイ２に載架されているディスクをそのセット位置で持ち上げてその受け部材に押し付けるディスク押付け部材とによって構成され、ディスク押付け部材が、上記ドライブシャーシ３に回転可能に取り付けられたターンテーブルでなる。なお、ディスクトレイ２には、ディスクチャッキング時にチャッキング機構のディスク押付け部材の通過を許す開口が備わっている。３４はディスク押付け部材としてのターンテーブルを回転駆動するためのモータ、３５は光ピックアップ４を往復移動させるためのモータを示しており、これらはドライブシャーシ３に設置されている。
【０００７】
この種のディスク装置では、光ピックアップ４を備えたドライブシャーシ３に機枠１や可動体５から衝撃が伝達されるのを防ぐために、ドライブシャーシ３の機枠１に対する取付箇所イに第１緩衝体７１が介在され、ドライブシャーシ３の可動体５に対する連結箇所ロ，ロに第２緩衝体７２，７２が介在されている。この点を図７を参照してさらに説明する。
【０００８】
図７のように、第１緩衝体７１や第２緩衝体７２は、軸方向中央に環状溝７ａを備えた柔軟な防振ゴム製の筒体７によって形成されている。そして、第１緩衝体７１が、その環状溝７ａをドライブシャーシ３の一端部３１に形成された割り孔３６に嵌め込むことによってドライブシャーシ３に保持され、その第１緩衝体７１に下方から挿通させた取付ねじ７３が図８に示した機枠１のねじ孔（不図示）にねじ込まれる。こうしてドライブシャーシ３の一端部３１が機枠１に取り付けられていると、第１緩衝体７１の変形を通じてドライブシャーシ３の自由端３２が取付箇所イを支点として一点鎖線イ’の回りで傾動することができるようになる。また、第２緩衝体７２が、その環状溝７ａをドライブシャーシ３の自由端３２に形成された割り孔３７に嵌め込むことによってドライブシャーシ３に保持され、その第２緩衝体７２に下方から挿通させた取付ねじ７４が図８に示した可動体５のねじ孔（不図示）にねじ込まれる。こうしてドライブシャーシ３の自由端３２が可動体５に取り付けられていると、第２緩衝体７２の変形を通じてドライブシャーシ３の自由端３２と可動体５との相対揺動が可能になる。しかも、機枠１や可動体５で発生した衝撃が第１緩衝体７１や第２緩衝体７２により吸収されてドライブシャーシ３に伝わりにくくなる。
【０００９】
さらに、図８に示した従来のディスク装置では、機枠１の前部の略中央部にディスクトレイ２を出し入れするためのモータＭが設置されており、このモータＭの回転運動が、図示していな歯車列を介してディスクトレイ２に設けられているラック２１に伝達されて直線運動に変換されるようになっている。ここで、ラック２１は、そのディスクトレイ２の上記した開口の片側の偏った箇所に設けられている。
【００１０】
一方、実開平６−１１１４２号公報にディスクプレーヤにおけるディスクチャッキング機構についての記載がある。このディスクチャッキング機構では、カム溝の形状に工夫を講じることによって故障などのトラブル原因を排除するようにしている。
【００１１】
【発明が解決しようとする課題】
図７や図８を参照して説明した従来のディスク装置では、カム板６のカム溝６１によって昇降動作が制御される可動体５に、ドライブシャーシ３の自由端３２を第２緩衝体７２を介して連結してあり、そうすることにより、可動体５の傾動動作ないし昇降動作を通じてドライブシャーシ３の自由端３２が傾動するようになっている。そして、可動体５の左右のアーム部５１，５１がドライブシャーシ３の自由端３２の左右両側に配備されている。このため、可動体５が大形になり、それだけコスト高になっている。また、可動体５の左右のアーム部５１，５１がドライブシャーシ３の自由端３２の左右両側のスペースに配備されていたために、ディスクトレイ２を出入れするための駆動源としてのモータＭをドライブシャーシ３の自由端３２の左右両側のスペースに設置することができない。そのため、上記したようにモータＭを機枠１の前部の略中央部に設置せざるを得なくなり、その結果、モータＭからラック２１までの距離を短くして歯車列の構成を簡素化するということができなかった。
【００１２】
本発明は以上の状況の下でなされたものであり、ドライブシャーシの自由端を傾動させるための可動体の大きさが従来の場合に比べて顕著に小形化され、しかも、そのような可動体の小形化によってドライブシャーシの左右両側に空きスペースを確保し、その空きスペースにディスクトレイを出入れするための駆動源としてのモータを設置することが可能になるディスク装置を提供することを目的とする。
【００１３】
また、本発明は、機枠や可動体の衝撃をドライブシャーシに伝わりにくくして、ドライブシャーシに設けられている光ピックアップの走査性能の低下を防ぐことを目的とする。
【００１４】
【課題を解決するための手段】
本発明に係るディスク装置は、モータで駆動されることによりディスクをそのセット位置に対して出入れするディスクトレイの上方位置と下方位置とに振り分けて、上記ディスクトレイによってセット位置に搬入されたディスクを挟持するチャッキング機構の受け部材と上記ディスクトレイに載架されているディスクを持ち上げてその受け部材に押し付けるディスク押付け部材とが各別に配備され、上記ディスク押付け部材が、ディスク走査用の光ピックアップを備えて上記ディスクトレイの下方位置に配備されたドライブシャーシに取り付けられていると共に、上記ディスクトレイが、上記ディスク押付け部材の通過を許す開口の片側の偏った箇所に、上記モータによって回転駆動される歯車に噛み合ってそのディスクトレイをディスクの搬入出方向に出入れ移動させるためのラックを有し、上記ドライブシャーシは、機枠に第１緩衝体を介して取り付けられた長手方向一端部を支点としてその反対側の自由端が上下方向に傾動自在であり、かつ、自由端が、その自由端との対向箇所で往復移動されるカム板に具備されたカム溝に案内されて上下方向に昇降動作される可動体に第２緩衝体を介して連結されているディスク装置において、上記可動体を、上記ドライブシャーシの自由端の幅方向１箇所に突出状に取り付けられて上記カム溝に摺動自在に係合された軸体により構成して上記ドライブシャーシの左右両側に空きスペースを確保し、上記モータが、上記ディスクトレイにおける上記ラックの配備箇所に対応する上記ドライブシャーシの側方部位の上記空きスペースを活用して上記機枠に設置されており、上記軸体が中空筒状に形成され、かつ、その軸体がドライブシャーシの自由端の幅方向１箇所に突設された突起に外嵌合されていると共に、その軸体と上記突起との間に上記突起に嵌合されて上記軸体でなる可動体で発生した衝撃を吸収して上記ドライブシャーシに伝わりにくくする筒状の防振ゴムでなる上記第２緩衝体が介在され、この第２緩衝体を介し、上記軸体が上記突起及びドライブシャーシの自由端に対し非接触状態で上記突起に保持されている。
【００１５】
このように構成されたディスク装置において、カム板の往復移動を通じてカム溝に案内された可動体が上下方向に昇降動作すると、その可動体に連結されているドライブシャーシの自由端が、そのドライブシャーシの一端部を支点として可動体と共に傾動する。そして、ドライブシャーシの自由端が上向きに傾動することによって、チャッキング機構のディスク押付け部材がディスクトレイ上のディスクを持ち上げて受け部材に押し付けるのでディスクがチャッキングされる。また、ドライブシャーシの自由端が下向きに傾動するとチャッキング状態が解除される。
【００１６】
この発明において、可動体は、上記ドライブシャーシの自由端の幅方向１箇所に突出状に取り付けられて上記カム溝に摺動自在に係合された軸体でなる。そのため、図７や図８に示したリフトレバー型の可動体５を用いる場合に比べて可動体が顕著に小形化され、ドライブシャーシの自由端を傾動させるために必要な構成が従来に比べて大幅に簡略化されだけでなく、そのような可動体の小形化によってドライブシャーシの左右両側に空きスペースが確保されるようになる。そこで、この発明では、その空きスペースを活用してディスクトレイを出入れするための駆動源としてのモータを設置してある。こうすることにより、モータからディスクトレイのラックまでの距離が短くなるので、モータの回転をラックに伝達する歯車列の構成を簡素化しやすくなる。また、第１緩衝体や、可動体で発生した衝撃を吸収して上記ドライブシャーシに伝わりにくくする筒状の防振ゴムでなる第２緩衝体によって機枠や可動体の衝撃が吸収されるので、ドライブシャーシに衝撃が伝わりにくくなる。
【００１７】
本発明では、軸体が中空筒状に形成され、かつ、その軸体がドライブシャーシの自由端の幅方向１箇所に突設された突起に外嵌合されていると共に、その軸体と上記突起との間に上記突起に嵌合された筒状の上記第２緩衝体が介在されている。この構成により、ドライブシャーシ側の突起に第２緩衝体を介して可動体を形成している軸体を外嵌合させるだけで、その軸体をドライブシャーシに連結することができるので、軸体をドライブシャーシに連結するために取付ねじなどの余分な部品を用いずに済む。
【００１８】
本発明では、上記ドライブシャーシの長手方向一端部が、その幅方向の両端部の２箇所で上記機枠に上記第１緩衝体を介して取り付けられており、上記機枠に、上記カム板のカム溝に案内されて上下方向に昇降動作される軸体の昇降動作を補助する上下方向に延びるガイド溝が備わっていることが望ましい。これによれば、ドライブシャーシの長手方向一端部の２箇所で機枠に取り付けられ、かつ、軸体の昇降動作がガイド溝によって補助されるため、ドライブシャーシの自由端が上下方向に傾動するときに横触れするような事態を生じずに正確に上下方向の傾動が行われるようになる。
【００１９】
【発明の実施の形態】
図１は本発明の実施形態に係るディスク装置に用いられているドライブシャーシ３や可動体５、カム板６などを示した概略分解斜視図、図２は同実施形態のディスク装置の要部を下側から見て説明的に示した概略平面図、図３は同実施形態のディスク装置を正面から見て示した概略説明図、図４は図２のＩＶ−ＩＶ線に沿う部分の拡大断面図、図５はカム溝形状などを示した一部破断正面図、図６はガイドリブ２３の要部を示した説明図である。なお、以下の説明では、従来例との比較を容易にすることなどのため、図７及び図８で説明した部分と同一又は相応する部分に同一符号を付すことにする。
【００２０】
図２のように機枠１は矩形枠形に形成されている。また、図３のように、この機枠１の上部に一体に梁部１４が横架されている。そして、このこの梁部１４の下側で、ディスクトレイ２が機枠１に対して図２に示した出入れ方向（図２の矢印Ａ方向：前後方向）に移動することができるようになっている。また、図３のようにディスクトレイ２の上面に円板状のディスクの載置部２２が凹入状に形成されていて、その載置部に載置されたディスクが、ディスクトレイ２の矢印Ａ方向の移動によって機枠１の略中央部のセット位置に対して出入れされる。
【００２１】
図２のように、ディスクトレイ２の下側に合成樹脂成形体でなるドライブシャーシ３が配備されている。ドライブシャーシ３には、前後に往復移動可能なディスク走査用の光ピックアップ４や、その光ピックアップ４を往復移動させるためのモータ３５、後述するディスク押付け部材としてのターンテーブル８２を回転駆動するためのモータ３４などが設置されている。また、ドライブシャーシ３は、その長手方向一端部３１の左右両側に取付片３８，３８を備え、この２つの取付片３８，３８が機枠１に取り付けられている。そして、取付片３８，３８と機枠１との取付箇所イ，イを支点としてその反対側の自由端３２が、一点鎖線イ’の回りで上下方向に傾動自在となっている。これに対し、ドライブシャーシ３の自由端３２の幅方向略中央部に可動体５としての軸体５０が連結されている。可動体５に対するドライブシャーシ３の自由端３２の連結箇所を符号ロで示してある。
【００２２】
機枠１の前板部１３にカム板６が左右方向Ｗにスライド自在に取り付けられていて、このカム板６に具備されているカム溝６１に、上記軸体５０が摺動自在に係合されている。そして、図２又は図５を併せ見ることによって判るように、カム板６が左右方向Ｗにスライドすると、カム溝６１に案内された上記軸体５０がドライブシャーシ３の自由端３２を伴って、ドライブシャーシ３の長手方向一端部３１の取付箇所イ，イを支点として一点鎖線イ’の回りで上下方向に昇降するようになっている。この実施形態では、カム板６がスライド自在に重ね合わされている機枠１の上記前板部１３に、図５のように軸体５０の上下方向の昇降動作を補助するための上下方向に延びるガイド溝６３が備わっている。
【００２３】
図２や図５に示したように、ディスクトレイ２にはその出入れ方向Ａに延びるガイドリブ２３が備わっていて、そのガイドリブ２３に、上記カム板６に設けられた突起６２が摺動自在に係合している。また、図６に示したように、ガイドリブ２３はその前端部分がディスクトレイ２の幅方向中央側に屈曲していて、ディスクトレイ２が機枠１に進入しきったときには、そのガイドリブ２３の屈曲部２３ａが上記突起６２をディスクトレイ２の幅方向中央側に案内することによってその突起６２を屈曲部２３ａで係止し、ディスクトレイ２をディスクのセット位置にロックするようになっている。さらに、図示していないけれども、ディスクトレイ２が機枠１に進入しきったときには、カム板６をスライドさせてそのカム溝６１に係合している上記軸体５０を上方に摺動させるための機構が設けられていて、そのようなカム板６をスライドによって軸体５０が上昇すると、その軸体５０と共にドライブシャーシ３の自由端３２が図１に示した一点鎖線イ’の回りで上方に傾動する。また、ディスクトレイ２は、左右方向の片側に、モータＭによって回転駆動される歯車（不図示）に噛み合ってそのディスクトレイ２をディスクの搬入出方向に出入れ移動させるためのラック２１を有している。
【００２４】
ここで、ディスクトレイ２には、後述するチャッキング機構のディスク押付け部材の通過を許す開口（不図示）が備わっていて、上記したガイドリブ２３やラック２１は、その開口の片側に位置している。また、図２のように、モータＭをドライブシャーシ３の側方部位で機枠１に設置することによって、このモータＭからディスクトレイ２におけるラック２１までの距離を可及的短くしてある。これによって、モータＭの回転をラック２１に伝達するための歯車列（不図示）の歯車数を従来の場合よりも少なくし、かつ、その歯車列の構造を簡略化してある。
【００２５】
この構成のディスク装置において、ドライブシャーシ３の自由端３２が上下方向に傾動動作されるのは、ディスクトレイ２によってセット位置に搬入されたディスクを、ディスクトレイ２から持ち上げてチャッキング機構により挟持させるためであり、そのようにしてチャッキング機構に挟持されたディスクがそのチヤッキング機構と共に回転され、回転中のディスクに対して光ピックアップ４が半径方向に移動して走査が行われる。
【００２６】
チャッキング機構は、機枠１の上部の梁部１４に回転自在に保持されている受け部材としての円板８１（図３参照）と、ディスクトレイ２に載架されているディスクをそのセット位置で持ち上げて円板８１に押し付けるディスク押付け部材としてのターンテーブル８２（図２参照）とにより構成されていて、上記円板８１と上記ターンテーブル８２とはディスクトレイ２の上方位置と下方位置とに振り分けて配備されている。そして、ターンテーブル８２がモータ３４の回転軸に直結された状態でドライブシャーシ３側に設けられている。なお、上記したようにセット位置でディスクがチャッキング機構によって挟持されるときには、チャッキング機構のディスク押付け部材としてのターンテーブル８２が、ディスクトレイ２の開口を通過して受け部材８１に接近する。
【００２７】
さらに、このディスク装置では、光ピックアップ４を備えたドライブシャーシ３に機枠１や可動体５から衝撃が伝達されるのを防ぐために、ドライブシャーシ３の機枠１に対する取付箇所イに第１緩衝体７１が介在され、ドライブシャーシ３と可動体５としての軸体５０との連結箇所ロに第２緩衝体７２が介在されている。この点を図１を参照してさらに説明する。
【００２８】
図１に示した第１緩衝体７１や第２緩衝体７２は、図７を参照して説明した柔軟な防振ゴム製の筒体７によって形成されている。そして、ドライブシャーシ３の機枠１に対する取付箇所イ，イでは、２つの第１緩衝体７１，７１のそれぞれが、それらの環状溝７ａ，７ａをドライブシャーシ３の一端部３１の左右両側に具備されている２つの取付片３８，３８の割り孔３９，３９に嵌め込むことによってドライブシャーシ３の左右の取付片３８，３８に各別に保持され、それらの第１緩衝体７１，７１に下方から挿通させた取付ねじ７３が図２に示した機枠１のねじ孔（不図示）にねじ込まれる。こうしてドライブシャーシ３の一端部３１が機枠１に取り付けられていると、第１緩衝体７１，７１の変形を通じてドライブシャーシ３の自由端３２が取付箇所イ，イを支点として一点鎖線イ’の回りで傾動することができるようになる。これに対し、軸体５０とドライブシャーシ３の自由端３２との連結箇所ロでは、図１又は図４に示したように、ドライブシャーシ３の自由端３２の幅方向略中央部の１箇所に突設された突起９１に、中空筒状のキャップ型合成樹脂成形体でなる上記軸体５０が外嵌合されていると共に、その軸体５０と突起９１との間に、突起９１に嵌合された筒状の第２緩衝体７２が圧入状態で介在されていて、この第２緩衝体７２を介し、軸体５０が突起９１及びドライブシャーシ３の自由端３２に対し非接触状態で突起９１に保持されている。
【００２９】
上記のように、ドライブシャーシ３の機枠１に対する取付箇所イ，イに防振ゴムでなる第１緩衝体７１，７１が介在され、かつ、軸体５０とドライブシャーシ３の自由端３２との連結箇所ロに防振ゴムでなる第２緩衝体７２が介在されていると、機枠１や可動体５で発生した衝撃が第１緩衝体７１や第２緩衝体７２により吸収されてドライブシャーシ３に伝わりにくくなるので、光ピックアップ４によるディスクの走査性の低下が防止される。
【００３０】
この実施形態では、ドライブシャーシ３がその長手方向一端部３１の２箇所で機枠１に取り付けられ、かつ、単一の軸体５０の昇降動作がガイド溝６３によって補助されるため、上記した取付箇所イ，イに柔軟な防振ゴムでなる第１緩衝体７１，７１が介在されているとしても、ドライブシャーシ３の自由端３２が上下に傾動するときに横触れするような事態を生じない。
【００３１】
【発明の効果】
以上のように、本発明に係るディスク装置では、ドライブシャーシの自由端を傾動させるための可動体を軸体によって形成したので、その可動体の大きさがリフトレバーである従来の可動体に比べて顕著に小形化され、大幅なコストダウンを図りやすくなる。また、可動体を軸体によって形成してドライブシャーシの自由端の左右両側のスペースをモータの設置スペースに活用したので、モータからディスクトレイのラックまでの距離を短くして歯車列の構成を簡素化してコストダウンを図ることも可能になる。さらに、本発明によれば、機枠に対するドライブシャーシの取付箇所や可動体に対するドライブシャーシの連結箇所に防振ゴムなどでなる第１又は第２の緩衝体が介在されているので、機枠や可動体の衝撃がそれらの緩衝体により吸収されてドライブシャーシに伝わりにくくなり、そのことが、ドライブシャーシに設けられている光ピックアップの走査性能の低下を防ぐことに役立つ。
【図面の簡単な説明】
【図１】本発明の実施形態に係るディスク装置に用いられているドライブシャーシなどを示した概略分解斜視図である。
【図２】同実施形態のディスク装置の要部を下側から見て説明的に示した概略平面図である。
【図３】同実施形態のディスク装置を正面から見て示した概略説明図である。
【図４】図２のＶ−Ｖ線に沿う部分の拡大断面図である。
【図５】カム溝形状などを示した一部破断正面図である。
【図６】ガイドリブの要部を示した説明図である。
【図７】従来のディスク装置に用いられているドライブシャーシなどを示した概略分解斜視図である。
【図８】従来のディスク装置の要部を下側から見て説明的に示した概略平面図である。
【符号の説明】
Ｍ  モータ
１  機枠
２  ディスクトレイ
３  ドライブシャーシ
４  光ピックアップ
５  可動体
６  カム板
８  チャッキング機構
２１  ラック
３１  ドライブシャーシの長手方向一端部
３２  ドライブシャーシの自由端
５０  軸体
６１  カム溝
６３  ガイド溝
７１  第１緩衝体
７２  第２緩衝体
８１  受け部材（円板）
８２  ディスク押付け部材（ターンテーブル）
９１  突起
【図１】
0003580369.tif 000002
【図２】
0003580369.tif 000003
【図３】
0003580369.tif 000004
【図４】
0003580369.tif 000005
【図５】
0003580369.tif 000006
【図６】
0003580369.tif 000007
【図７】
0003580369.tif 000008
【図８】
0003580369.tif 000009